(57)【要約】【課題】  使用者の好みに応じて聴取するオーディオ信号の周波数特性を変化させることができるヘッドホン装置を提供する【解決手段】  内部が空洞の球体を形成し、前方に前後に貫通する孔を備える凸部を備え、後方に開口した孔を備え、球体の内壁に板状の固定部を備えるハウジングと、内部が空洞の球体を形成し、前方の下方部分に開口した孔を備え、前方に貫通する孔を備え、後方に前後に貫通する孔を備え、ハウジングの内部に挿入される後部と、内部にリード線を備え、一端に入力端子を備え、当該入力端子を備える一端の他端が前記後部の孔を介して前記後部の内部に挿入されるケーブルと、固定部に固着し前記ケーブルの前記リード線に電気的に接続し前記入力端子が入力したオーディオ信号を放音する振動板を有するドライバーユニットとを備え、後部は、前記球体の表面が前記ハウジングの前記球体の内壁と略同一の球面を形成する。【選択図】      図２
2011216992.tif 000002
【特許請求の範囲】
【請求項１】
ケーブルを介して入力端子に入力されたオーディオ信号を出力するヘッドホン装置において、
内部が空洞の球体を形成し、前方に前後に貫通する孔を備える凸部を備え、後方に開口した孔を備え、球体の内壁に板状の固定部を備えるハウジングと、
内部が空洞の球体を形成し、前方の下方部分に開口した孔を備え、前方に貫通する孔を備え、後方に前後に貫通する孔を備え、前記ハウジングの内部に挿入される後部と、
内部にリード線を備え、一端に入力端子を備え、当該入力端子を備える一端の他端が前記後部の孔を介して前記後部の内部に挿入されるケーブルと、
前記固定部に固着し前記ケーブルの前記リード線に電気的に接続し前記入力端子が入力したオーディオ信号を放音する振動板を有するドライバーユニットとを備え、
前記後部は、前記球体の表面が前記ハウジングの前記球体の内壁と略同一の球面を形成することを特徴とするヘッドホン装置。
【請求項２】
請求項１記載のヘッドホン装置において、
前記ハウジングの前方に備える孔の内径は、前記後部の前方に備える孔の内径と略同一であることを特徴とするヘッドホン装置。
【請求項３】
請求項１または２記載のヘッドホン装置において、
前記ハウジングの前方に備える孔及び前記後部の前方に備える孔は多角形の形状であることを特徴とするヘッドホン装置。
【発明の詳細な説明】
【技術分野】
【０００１】
本発明は、ケーブルを介して再生装置と接続し、再生装置から出力されたオーディオ信号を出力するヘッドホン装置に関する。
【背景技術】
【０００２】
従来のヘッドホン装置として、ケーブルを介して再生装置と電気的に接続し、再生装置から出力されたオーディオ信号を出力するヘッドホン装置が知られている（例えば、特許文献１参照）。
【０００３】
図５は、従来のヘッドホン装置を示す概略構成図である。
ヘッドホン装置１００は、それぞれ２つのハウジング２００、前部３００及びイヤーパッド４を備え、それぞれのハウジング２００は、ケーブル６によって入力端子８に接続される。ケーブル６は、内部にリード線を備える。入力端子８は、再生装置１０の出力端子１１に接続される。再生装置１０は、オーディオ信号を再生し、再生したオーディオ信号を出力端子１１から出力する。
【０００４】
ヘッドホン装置１００は、図５で説明した構成の他、図示しないドライバーユニット及びブッシュを備える。ドライバーユニットは、前部３００の裏面に接着剤等により固着される。ドライバーユニットは、振動板（図示しない）を備え、ケーブルを介して入力端子８と電気的に接続される。
【０００５】
イヤーパッド４は、ゴム部材等の弾性体により円筒型に形成され、前後に貫通する孔（図示しない）を備える。イヤーパッド４は、接着剤等により前部３００の前方に保持された状態となる。
【０００６】
ヘッドホン装置１００は、再生装置１０の出力端子１１から出力されるオーディオ信号を入力端子８によって入力し、入力端子８から入力したオーディオ信号をケーブル６のリード線を介してドライバーユニットから放音する。ヘッドホン装置１００の使用者は、イヤーパッド４を耳にはめ込み、例えば、洋服のポケット等に再生装置１０を入れた状態で、再生装置１０からオーディオ信号を再生させる。このことにより、再生装置１０が再生したオーディオ信号が入力端子８及びケーブル６を介してドライバーユニット７によって放音され、この放音されたオーディオ信号が前部３００の孔を介してイヤーパッド４の内部に伝達する。これにより、イヤーパッド４を装着した使用者の耳にオーディオ信号が伝達し、使用者は、ヘッドホン装置１００から出力されるオーディオ信号を聴取することができる。
【先行技術文献】
【特許文献】
【０００７】
【特許文献１】特開平８−０９８２９０号公報
【発明の概要】
【発明が解決しようとする課題】
【０００８】
従来のヘッドホン装置は、ドライバーユニット７から放音されたオーディオ信号が前部の孔及びイヤーパッド４の内部に伝達して使用者の耳に伝達するため、この前部の孔の内径によって使用者の耳に伝達するオーディオ信号の周波数特性が大きく変化する。例えば、前部の孔の内径が大きくなるの伴い、ドライバーユニット７から放音された高域の周波数帯域のオーディオ信号が低域の周波数帯域のオーディオ信号より強調されて使用者に耳に伝達され、また、前部の孔の内径が小さくなるのに伴い、ドライバーユニット７から放音された低域の周波数帯域のオーディオ信号が高域の周波数帯域のオーディオ信号より強調されて使用者の耳に伝達される。
【０００９】
このように、従来のヘッドホン装置においては、前部の孔の内径によって使用者に伝達するオーディオ信号の周波数帯域が大きく変化するため、ヘッドホン装置をデザインする段階においては、より最適な周波数特性で使用者がオーディオ信号を聴取できるように、ドライバーユニット７が放音するオーディオ信号の周波数帯域と前部の孔の内径を入念に設定することがなされている。しかしながら、このようにオーディオ信号の周波数帯域と前部の孔の内径入念に設定しても、高域の周波数帯域が強調されたオーディオ信号を好む使用者がいたり、また、低域の周波数帯域が強調されたオーディオ信号を好む使用者もいるため、あらゆる使用者の好みに合致したヘッドホン装置を提供することが困難となっている。
【００１０】
本発明は、ケーブルを介して再生装置と電気的に接続し、再生装置から出力されたオーディオ信号を出力するヘッドホン装置において、使用者の好みに応じて聴取するオーディオ信号の周波数特性を変化させることができるヘッドホン装置を提供することを目的とする。
【課題を解決するための手段】
【００１１】
本願の請求項１記載の発明は、ケーブルを介して入力端子に入力されたオーディオ信号を出力するヘッドホン装置において、内部が空洞の球体を形成し、前方に前後に貫通する孔を備える凸部を備え、後方に開口した孔を備え、球体の内壁に板状の固定部を備えるハウジングと、内部が空洞の球体を形成し、前方の下方部分に開口した孔を備え、前方に貫通する孔を備え、後方に前後に貫通する孔を備え、前記ハウジングの内部に挿入される後部と、内部にリード線を備え、一端に入力端子を備え、当該入力端子を備える一端の他端が前記後部の孔を介して前記後部の内部に挿入されるケーブルと、前記固定部に固着し前記ケーブルの前記リード線に電気的に接続し前記入力端子が入力したオーディオ信号を放音する振動板を有するドライバーユニットとを備え、前記後部は、前記球体の表面が前記ハウジングの前記球体の内壁と略同一の球面を形成することを特徴とする。
【００１２】
本願の請求項２記載の発明は、請求項１記載のヘッドホン装置において、前記ハウジングの前方に備える孔の内径は、前記後部の前方に備える孔の内径と略同一であることを特徴とする。
【００１３】
本願の請求項３記載の発明は、請求項１または２記載のヘッドホン装置において、前記ハウジングの前方に備える孔及び前記後部の前方に備える孔は多角形の形状であることを特徴とする。
【発明の効果】
【００１４】
本発明によれば、ケーブルを介して再生装置と電気的に接続し、再生装置から出力されたオーディオ信号を出力するヘッドホン装置において、使用者の好みに応じて聴取するオーディオ信号の周波数特性を変化させることができるヘッドホン装置を提供することができる。
【図面の簡単な説明】
【００１５】
【図１】本発明の一実施例のヘッドホン装置を示す概略構成図。
【図２】本実施例のヘッドホン装置１を示す断面図。
【図３】本実施例のヘッドホン装置１において、ハウジング２の前方を上方にスライドさせた状態を示す断面図。
【図４】本実施例のヘッドホン装置１において、ハウジング２の孔２０４と後部３の孔３０５との位置を示す図で、図４（ａ）は図２に示すようにハウジング２を上方にスライドさせていない状態を示す図、図４（ｂ）は図３に示すようにハウジング２を上方にスライドさせた状態を示す図。
【図５】従来のヘッドホン装置を示す概略構成図。
【発明を実施するための形態】
【００１６】
本発明の実施の形態を図面を参照して説明する。なお、背景技術又は図５で示した構成要素と同一の部分については同符号を用いる。
【００１７】
図１は、本発明の一実施例のヘッドホン装置を示す概略構成図である。
ヘッドホン装置１は、ハウジング２、後部３、イヤーパッド４、ブッシュ５、ケーブル６、ドライバーユニット７及び入力端子８を備える。入力端子８については、背景技術で説明した構成と同様の構成であるため、説明を省略する。
【００１８】
図２は、本実施例のヘッドホン装置１を示す断面図である。
図２に示すヘッドホン装置１においては、左方向をヘッドホン装置１の前方とし、上方向をヘッドホン装置１の上方とする。
【００１９】
図１及び図２に示すように、ハウジング２は、内部が空洞の球体を形成し、後方に開口した孔２０１を備える。ハウジング２は、前方に円筒型を形成する凸部２０２を備える。凸部２０２は、前後に貫通する孔２０４を備え、外周の中央部分に溝部２０３を備える。ハウジング２は、球体の内壁に板状の固定部２０５を備える。固定部２０５は、前面がハウジング２の前方となるように配設され、下端がハウジング２の内壁に接着剤等によって固着されている。固定部２０５は、前後に貫通する孔２０６を備える。
【００２０】
後部３は、ゴム部材等の弾性体から成り、内部が空洞の球体を形成し、前方の下方部分に開口した孔３０１を備える。後部３は、前方に貫通する孔３０５を備え、後方に凸部３０２を備える。凸部３０２は、前後に貫通する孔３０４を備え、外周の後方部分に溝部３０３を備える。孔３０５の内径は、ハウジング２の孔２０４の内径と略同一の大きさとする。
【００２１】
後部３の球体部分の表面は、ハウジング２の球体部分の内壁と略同一の球面を形成する。後部３は、球体の表面を内側に変形させながらハウジング２の内壁に押し込むことによってハウジング２の内部に挿入される。ハウジング２は、後部３がハウジング２の内部に挿入された状態のとき、球体部分の内壁が後部３の球体部分の表面と略同一の球面であることから、球体の中心を軸として上下方向及び左右方向に自在にスライド可能となる。
【００２２】
ブッシュ５は、図１及び図２に示すように、前後方向に円筒型を形成すると共に、後方部分が下方に曲がったＬ字型を形成する。ブッシュ５は、前方から後方の下端に亘ってＬ字型に貫通する孔５０３を備える。ブッシュ５は、前方部分に凹部５０１を備え、凹部５０１の外周部分に鍔部５０２を備える。ブッシュ５は、鍔部５０２が後部３の溝部３０３にはめ込まれることによって、前後方向を軸として自在に回動可能に後部３に保持された状態となる。
【００２３】
イヤーパッド４は、ゴム部材等の弾性体により円筒型に形成され、前後に貫通する孔４０１を備える。イヤーパッド４は、後方の内側部分に鍔部４０２を備える。イヤーパッド４は、鍔部４０２が前部３の溝部３０３にはめ込まれることによって前部３の前方に保持された状態となる。
【００２４】
ケーブル６は、入力端子８を備える一端の他端がブッシュ５の孔５０３及び後部３の孔３０４を介して後部３の内部に挿入され、この後部３の内部で結び目６０１を形成する。ケーブル６は、この結び目６０１によって弾性部５の内部から下方に脱落しないように成されている。
【００２５】
ドライバーユニット７は、図示しない振動板を備え、ケーブル６のリード線６０２に電気的に接続される。ドライバーユニット７は、ハウジング２の固定部２０５の孔２０６に挿入された状態で接着剤等により固着される。
【００２６】
図１及び図２に示すように、ヘッドホン装置１は、背景技術で説明した再生装置の出力端子から出力されるオーディオ信号を入力端子８によって入力し、入力端子８から入力したオーディオ信号をケーブル６を介してドライバーユニット７から放音する。ヘッドホン装置１の使用者は、イヤーパッド４を耳にはめ込み、例えば、洋服のポケット等に再生装置を入れた状態で、再生装置からオーディオ信号を再生させる。このことにより、再生装置が再生したオーディオ信号が入力端子８及びケーブル６を介してドライバーユニット７によって放音され、この放音されたオーディオ信号が後部３の孔３０５及びハウジング２の孔２０４を介してイヤーパッド４の孔４０１の内部に伝達する。これにより、イヤーパッド４を装着した使用者の耳にオーディオ信号が伝達し、使用者は、ヘッドホン装置１から出力されるオーディオ信号を聴取することができる。
【００２７】
図３は、本実施例のヘッドホン装置１において、ハウジング２の前方を上方にスライドさせた状態を示す断面図である。
図３に示すヘッドホン装置１においては、左方向をヘッドホン装置１の前方とし、上方向をヘッドホン装置１の上方とする。
【００２８】
図４は、本実施例のヘッドホン装置１において、ハウジング２の孔２０４と後部３の孔３０５との位置を示す図で、図４（ａ）は図２に示すようにハウジング２を上方にスライドさせていない状態を示す図、図４（ｂ）は図３に示すようにハウジング２を上方にスライドさせた状態を示す図である。
【００２９】
図２に示すように、ハウジング２を上方にスライドさせない状態では、図４（ａ）に示すように、ハウジング２の孔２０４と後部３の孔３０５のそれぞれの中心が略同一の位置となる。このため、図４（ａ）に示すように、孔３０５の後方から孔２０４の前方に亘って開口した孔の上下方向の長さは、孔２０４と孔３０５の内径と略同一の長さＡとなる。
【００３０】
また、図３に示すように、ハウジング２を上方にスライドさせた状態では、図４（ｂ）に示すように、ハウジング２の孔２０４の中心が後部３の孔３０５の中心より上方の位置となる。このため、図４（ｂ）に示すように、孔３０５の後方から孔２０４の前方に亘って開口した孔が横長の略楕円形となり、上下方向の長さは、図４（ａ）に示した長さＡより短い長さＢとなる。
【００３１】
このように、図２に示すように、ハウジング２を上方にスライドさせない状態では、図４（ａ）に示すように、孔３０５の後方から孔２０４の前方に亘って開口した孔の上下方向の長さは、孔２０４と孔３０５の内径と略同一の長さＡとなり、また、図３に示すように、ハウジング２を上方にスライドさせた状態では、図４（ｂ）に示すように、孔３０５の後方から孔２０４の前方に亘って開口した孔の上下方向の長さは、図４（ａ）に示した長さＡより短い長さＢとなる。このため、図３に示すように、ハウジング２を上方にスライドさせた状態での孔３０５の後方から孔２０４の前方に亘って開口した孔は、図２に示すように、ハウジング２を上方にスライドさせない状態での孔３０５の後方から孔２０４の前方に亘って開口した孔よりも狭くなる。
【００３２】
このため、ドライバーユニット７から放音されたオーディオ信号が孔３０５及び孔２０４を介して使用者の耳に伝達する場合、図２に示すように、ハウジング２を上方にスライドさせない状態において使用者が聴取するオーディオ信号の周波数特性と、図３に示すように、ハウジング２を上方にスライドさせた状態において使用者が聴取するオーディオ信号の周波数特性を比較すると、図４（ｂ）に示すように、ハウジング２を上方にスライドさせた状態では、図４（ａ）に示すように、ハウジング２を上方にスライドさせない状態よりも孔３０５の後方から孔２０４の前方に亘って開口した孔が狭くなることから、ハウジング２を上方にスライドさせた状態では、ハウジング２を上方にスライドさせない状態よりも低域が強調されて使用者の耳に伝達され、また、図４（ａ）に示すように、ハウジング２を上方にスライドさせない状態では、図４（ｂ）に示すように、ハウジング２を上方にスライドさせた状態よりも孔３０５の後方から孔２０４の前方に亘って開口した孔が広くなることから、ハウジング２を上方にスライドさせない状態では、ハウジング２を上方にスライドさせた状態よりも高域が強調されて使用者の耳に伝達される。
【００３３】
以上のように、本実施例のヘッドホン装置１は、ハウジング２を上下方向にスライドさせることにより、ドライバーユニット７から放音されたオーディオ信号が孔３０５及び孔２０４を介して使用者の耳に伝達する場合のオーディオ信号の周波数特性を変化させることができる。このため、例えば、低域の周波数帯域が強調されたオーディオ信号を好む使用者がヘッドホン装置１を使用する場合は、ハウジング２を下方にスライドさせることにより、低域の周波数帯域が強調されたオーディオ信号を聴取することができ、また、高域の周波数帯域が強調されたオーディオ信号を好む使用者がヘッドホン装置１を使用する場合は、ハウジング２を上方の位置から元の位置となるよう下方にスライドさせることにより、高域の周波数帯域が強調されたオーディオ信号を聴取することができる。
【００３４】
本実施例のヘッドホン装置１は、後部３を弾性体で形成する構成とし、後部３を内側に変形させた状態でハウジング２の内部に挿入する構成としたが、例えば、ハウジング２を２分割した構成とし、後部３をハウジング２の内部に配設させた後に、この２分割したハウジング２を接合させる構成とした場合は、後部３を硬質な部材としても良い。このように、後部３の材質を選択可能とすることによって、ヘッドホン装置の外観のデザインを自在に選択することができる。
【００３５】
本実施例のヘッドホン装置１は、後部３に回動自在に保持されるブッシュ５を備える構成としたが、ブッシュ５から出たケーブル６の位置を変化させる必要がない場合は、後部３とブッシュ５を一体成型したものとしても良い。これにより、ヘッドホン装置１の部品点数を減少させることができるので、ヘッドホン装置１の製造コストを低減させることができる。
【００３６】
本実施例のヘッドホン装置１は、ハウジング２の孔２０４と後部３の孔３０５の内径を略同一としたが、孔３０５の後方から孔２０４の前方に亘って開口した孔の大きさを調整可能であれば、それぞれが略同一の内径でなくても良く、また、孔２０４及び孔３０５がそれぞれ多角形の孔を形成していても良い。これにより、ドライバーユニット７から放音されたオーディオ信号が孔３０５及び孔２０４を介して使用者の耳に伝達する場合のオーディオ信号の周波数特性をより一層変化させることができる。
【産業上の利用可能性】
【００３７】
本発明は、ケーブルを介して再生装置と接続し、再生装置から出力されたオーディオ信号を出力するヘッドホン装置に有用に用いることができる。
【符号の説明】
【００３８】
１  ヘッドホン装置、２  ハウジング、２０１  孔、２０２  凸部、２０３  溝部、
２０４  孔、２０５  固定部、２０６  孔、
３  後部、３０１  孔、３０２  凸部、３０３  溝部、３０４  孔、３０５  孔、
４  イヤーパッド、４０１  孔、４０２  鍔部、
５  ブッシュ、５０１  凹部、５０２  鍔部、５０３  孔、
６  ケーブル、６０１  結び目、６０２  リード線、
７  ドライバーユニット、８  入力端子、
１０  再生装置、１１  出力端子、１００  ヘッドホン装置、２００  ハウジング、
２１０  孔、３００  前部、５００  ブッシュ
【図１】
2011216992.tif 000003
【図２】
2011216992.tif 000004
【図３】
2011216992.tif 000005
【図４】
2011216992.tif 000006
【図５】
2011216992.tif 000007